(57)【要約】【課題】手の指で果汁を絞ることができ、同時に種も良好に除去できるすだち等柑橘類の果汁絞り具を提供する。【解決手段】全体が柔軟な合成樹脂製の本体部10からなり、本体部10は平面状の底面部11とこの外周から上方に延長する周側面部12とからなる。底面部11の中央に複数の透孔15を設けた。周側面部12に手の指が接触する対向する部位に指当接部17を設けた。周側面部12に更に上方に延長する延長覆い部を設け、この延長覆い部を果汁飛散防止部材とした。底面部11と周側面部12との境界部18の肉厚を他の部分よりも厚くして、保形性を付与した。【選択図】図１
0003157122.tif 000002
【実用新案登録請求の範囲】
【請求項１】
本体部(10)全体が柔軟な合成樹脂製又はシリコンゴム製のものからなり、
この本体部(10)は、略平面状の底面部(11)と、この底面部(11)の外周から略上方に起立して延長する周側面部(12)とからなり、
底面部(11)の少なくとも中央の一部分に又はその全面に複数の透孔(15, 15, …)を設け、
底面部(11)の上に柑橘類の切り口を下に向けて載置し、手の指により周側面部(12)の対向する部位に相互に押し潰すような力を加えて果汁を絞ることができることを特徴とするすだち等柑橘類の果汁絞り具。
【請求項２】
周側面部(12)において手の指が接触する対向する部位を更に上方に延長させて指当接部(17, 17)を少なくとも２箇所に設けたことを特徴とする請求項１に記載のすだち等柑橘類の果汁絞り具。
【請求項３】
周側面部(12)においてその上端部周縁の一つの部位を更に延長して延長覆い部を設け、この延長覆い部の少なくとも根元部の肉厚を薄く形成し又はその根元部を幅狭に形成して底面部側に倒れるように形成し、この延長覆い部を果汁飛散防止部材(20)としたことを特徴とする請求項１又は２に記載のすだち等柑橘類の果汁絞り具。
【請求項４】
底面部(11)と周側面部(12)の境界部(18)の全部又は一部の肉厚を他の部分よりも厚くなるように成形したことを特徴とする請求項１乃至３の何れか１項に記載のすだち等柑橘類の果汁絞り具。
【考案の詳細な説明】
【技術分野】
【０００１】
本考案は、すだち、かぼす等の柑橘類の果汁を手の指によって絞ることができる絞り具であって、絞られた果汁に種子が入らないものに関する。
【背景技術】
【０００２】
従来より例えばレモンの絞り具として各種のものが存在する。
その代表的なものとしては、陶器製或いはガラス製の果汁を受ける小皿の中央部にレモンを２分割したその切り口を押し当てる外表面が膨出した略円錐形状の突起部が設けられ、その突起部の外周には縦方向に多数の突条が形成されたものが存在する。
この突起部に２分割されたレモンの切り口を押し当てて、手の平で押圧しつつレモンを左右に回動して果汁を絞り取るものである。
【０００３】
その他に、金属製の挟持体で分割された果実を相互に挟み付け、押圧して果汁を絞る器具も存在するが、下記特許文献に記載のものは、非常に簡易なものからなるレモン絞り具である。
この文献に記載のレモン絞り具は、フィルムシートで形成された三角形又は四角形の袋状体のものから成り、一方端部の開口部とこれに対向する端部の鋭角部位に出口となる切り込みを設けたものである。
【先行技術文献】
【特許文献】
【０００４】
【特許文献１】実開平６−１７６２７号公報
【考案の概要】
【考案が解決しようとする課題】
【０００５】
上記第一の従来例では、受け皿に果汁と種子が同時に絞り出され、後に種子を分離する手間が必要となる。
また、金属製の挟持体によるものも種子の分離手段を考慮せねばならず、また種子が潰れてしまうという問題もある。
上記特許文献に記載のレモン絞り具でも、種子に関する問題が残り、切り込みによって形成された小さい出口が種子で塞がれるという問題と、この出口が大きく形成されると種子が果汁とともに絞り出されてしまうこととなる。
【０００６】
そこで、本考案においては、まずより簡易な構成からなるものであって、しかも、単に手の指で、例えば親指とこれに対向する人差し指と中指の３本の指で挟んで絞れるような絞り具を提供することをその第一の課題としている。
そして、更に大事なことであるが、種子が取り除かれるということ、果汁を絞ると共に種子も同時に除去できることをその課題とするものである。
【０００７】
とりわけ、本考案では「すだち」を絞ることを念頭に考案されたもので、この「すだち」は特にその種が多く、誰もが経験したことがあるように、例えば焼き魚にこの「すだち」の果汁を絞ると、同時に種も焼き魚の上に落ちてしまい、これを取り除く手間は容易に想起されることであろう。
本考案はこのような問題を解決することをその目的としている。
【課題を解決するための手段】
【０００８】
本考案の第１のものは、本体部全体が柔軟な合成樹脂製又はシリコンゴム製のものからなり、この本体部は、略平面状の底面部と、この底面部の外周から略上方に起立して延長する周側面部とからなり、底面部の少なくとも中央の一部分に又はその全面に複数の透孔を設け、底面部の上に柑橘類の切り口を下に向けて載置し、手の指により周側面部の対向する部位に相互に押し潰すような力を加えて果汁を絞ることができることを特徴とするすだち等柑橘類の果汁絞り具である。
【０００９】
本考案の第２のものは、上記第１の考案において、周側面部において手の指が接触する対向する部位を更に上方に延長させて指当接部を少なくとも２箇所に設けたことを特徴とするすだち等柑橘類の果汁絞り具である。
【００１０】
本考案の第３のものは、上記第１又は第２の考案において、周側面部においてその上端部周縁の一つの部位を更に延長して延長覆い部を設け、この延長覆い部の少なくとも根元部の肉厚を薄く形成し又はその根元部を幅狭に形成して底面部側に倒れるように形成し、この延長覆い部を果汁飛散防止部材としたことを特徴とするすだち等柑橘類の果汁絞り具である。
【００１１】
本考案の第４のものは、上記それぞれの考案において、底面部と周側面部の境界部の全部又は一部の肉厚を他の部分よりも厚くなるように成形したことを特徴とするすだち等柑橘類の果汁絞り具である。
【考案の効果】
【００１２】
本考案の第１のものにおいては、その本体部の全体が柔軟な合成樹脂又はシリコンゴムから形成されているために、その外形が容易に変形することができる。
従って、底面部の上に１／２又は１／４カットされたすだちを、その切り口面を底面部の側に向けて載置し、底面部の外周から上方に起立する周側面部に手の指を、即ち親指とこれに対向する人差し指及び中指の３本の指を対向するように当接して中央に向けて力を加えれば、容易に周側面部及び底面部が変形して、すだちに横方向の力が付加され、これにより果汁が絞られ、同時に種子も果汁から分離されるのである。
これにより食品等の目的物に直接滴下することができる。
【００１３】
底面部には、その中央部に又はその全面に複数の透孔が設けられ、また底面部は手の指の横方向の押圧力により下方に膨出するように変形して、その透孔から果汁のみが下方に滴下することとなるのである。
以上により、本考案においては容易に種子が取り除かれて果汁のみが食品の上に滴下されることとなるのである。
使用後には、本考案は柔軟な合成樹脂製又はシリコンゴム製であるために、内部の絞りカスと種子とが容易に廃棄され、洗浄等も簡単に行うことができることとなる。
【００１４】
本考案の第２のものにおいては、上記効果に加えて、周側面部に手の指が接触する対向する部位を更に上方に延長させて指当接部を設けたが、この指当接部を延長して設けたことにより、すだち等を絞る際に、その絞り汁が指の内側の根元部側に付着することを防止できるのである。
【００１５】
本考案の第３のものにおていは、すだちを１／２カットした場合には、その切り口面を底面部側に向ければよいので不要なのであるが、周側面部に更に延長覆い部を形成しているのである。
この延長覆い部があるために、例えばすだちを１／４以上カットした場合には、その切り口面が底面部のみでなく、上面側又は横方向にも向くこととなるために、本考案に係る絞り具によって果汁を絞る際に、上方に向けて果汁が飛散するおそれがあり、この上方への飛散をこの延長覆い部である果汁飛散防止部材が防御してくれるのである。
これにより、手や衣服に果汁が飛散することを防止できる。
【００１６】
本考案の第４のものにおいては、底面部と周側面部との境界部を他の部分よりも肉厚に形成することにより、この部分が他の部分よりも強固となり、本考案に係る絞り具がより立体的に自立した状態を維持できるものとなる。
つまり、この境界部の肉厚が、本考案の絞り具の立体的な保形性能を付加することとなり、それ故、本考案に係る絞り具の使い勝手がよくなるのである。
【図面の簡単な説明】
【００１７】
【図１】本考案の一実施形態に係る果汁絞り具の使用状態を示す説明図である。
【図２】本考案の他の実施形態に係る果汁絞り具の使用状態を示す説明図である。
【考案を実施するための形態】
【００１８】
以下添付の図面と共に本考案の実施形態について説明する。
図１は、本考案に係るすだち等柑橘類の果汁絞り具の使用状態を示す説明図である。
本考案に係る絞り具の本体部１０は、その全体が、合成樹脂又はシリコンゴム等の柔軟な素材を使用した一体成形ものから成る。
【００１９】
本体部１０は、略平面状で平面視略円形を有する底面部１１と、この底面部１１の全外周から上方に起立するように延長する周側面部１２とから成る。
底面部１１の中央部には、多数の透孔１５、１５、…が穿設されており、この透孔１５から果汁が下方に滴下することができる。
【００２０】
周側面部１２の対向する部位には、上方に延長する延長部が形成されており、この延長部が指当接部１７、１７となる。
また、底面部１１と周側面部１２との境界線をなす境界部１８は、他の部分よりもその肉厚を少し厚く形成して、本考案に係る絞り具の保形性を付与している。
この肉厚の境界部１８により、本考案に係る絞り具が立体的に自立することとなる。
勿論、本体部１０は、その全体が柔軟な素材から成形されているために、上記肉厚の境界部１８の存在があっても、力を加えれば容易にその外形を変形させることができるものである。
【００２１】
使用法は以下の通りである。
すだちＳを例えば１／２カットし、そのすだちＳのカット面Ｋを下方に向けて、即ち本考案の本体部１０の底面部１２に向けて載置する。
一方の手の指の親指と、人差し指及び中指を、対向する指当接部１７、１７のそれぞれに当接する。この際、それぞれの指先は、周側面部１２の部位にまで当接させる。指先の力を十分にすだちＳの両側面に当接させるためであり、指先の力をすだちに十分に伝えることができるようにするためである。
【００２２】
そして、対向する親指と、人差し指及び中指を相互に中心方向に力を加え、つまりすだちを挟んで押し潰すような力を加えることにより、果汁が絞り出され、種子は透孔１５により除去されて果汁のみが透孔１５を通過して下方に滴下されるのである。
ここで、指当接部１７は、設けずに実施することも可能である。
本考案においては、最低底面部１１と周側面部１２があれば、その最低限の機能を発揮できるからである。
【００２３】
図２は、本考案の他の実施形態に係る果汁絞り具の使用状態を示す説明図である。
この図に示した絞り具は、果汁飛散防止部材２０を設けた点でのみ上記実施形態と異なっており、その他の点では上記実施形態と同じである。
即ち、この実施形態においては、周側面部１２の上端縁の一部を上方に延長して延長覆い部を形成し、この延長覆い部を果汁飛散防止部材２０としたものである。
【００２４】
より詳しくは、この果汁飛散防止部材２０は、幅の広いシート状の形態を有し、その根元部である周側面部１２との接続部２１を幅狭に形成することにより、この果汁飛散防止部材２０が周側面部１２の上縁部で外側に又は内側に起倒自在に形成されている。
これにより、例えば、すだちを１／４、１／６或いは１／８カット等に切断した際には、その切り口が２つ以上となり、一方の切り口を底面部１１に向けると、他方の切り口は上方又は横方向になるために、これら横方向又は上方の切り口をこの果汁飛散防止部材２０によって覆うことにより、果汁が上方に飛散することを防止して、手元或いは衣服に果汁が降り掛かることから防御されることとなるのである。
【００２５】
この果汁飛散防止部材２０の形状は、これを底面部１１側に倒した際に、十分にすだちの上面側の切り口を覆うことができる程度の長さと広さがあればよいのであり、具体的な形状は種々設計変更できる。
この果汁飛散防止部材２０以外の他の構成要素は、上記第１の実施形態と同じである。
【００２６】
この実施形態の使用方法は以下の通りである。
先ず、周側面部１２に設けられた果汁飛散防止部材２０を外側に倒して置き、例えば１／６にカットされたすだちＳの一方の切り口面を底面部１１に載置し、その後に前記果汁飛散防止部材２０をすだちＳの他方の切り口面、つまり上向き切り口面に被覆させる。
この状態で、前記第１の実施形態と同様に、手の指により指当接部１７、１７を相互に押圧して、すだちＳの両側から横方向（図中矢印Ｐ方向）に押圧して果汁を絞るのである。
上記同様に、種子は除去されて果汁のみが透孔１５を通過して、下方に滴下されるのである。
この第２の実施形態では、果汁が上方へ飛散することが良好に防御される。
【００２７】
以上、実施形態について説明したが、本考案においては以下の通り各種設計変更が可能である。
本考案においては、主にすだちの果汁を絞ることを目的に開発されたために、その底面部の直径は、約３５ｍｍから４５ｍｍ程度としているが、すだちのサイズも大、中、小と様々であるため、これに併せてＳサイズ、Ｍサイズ及びＬサイズと３通りのものとして製作することができる。
【００２８】
しかし、本考案は、すだちばかりでなく、他の柑橘類を対象に絞ることもできるので、このサイズは、その柑橘類の種類に応じて決定すればよい。
その素材も、上記した通り、柔軟なシリコンゴム又は合成樹脂であればその種類を問わない。
指当接部の上方延長長さも自由に設定することができる。
また、果汁飛散防止部材の形状、長さ、及び幅等も自由に設計することができ、要するにこの果汁飛散防止部材がその接続部で柔軟に起倒できるように構成すればよいのである。
【００２９】
例えば、この果汁飛散防止部材である延長覆い部の根元部を上記実施形態のようにその幅を狭く形成したり、その肉厚を薄く形成することにより、この果汁飛散防止部材を本体部の底面部側に倒れるように形成することができる。
底面部と周側面部の境界線を成す境界部は、上記の実施形態では、その全体を肉厚に形成したが、それを断続的に設けてその一部分を肉厚に形成しても同様の保形性を付与させることもできる。
【００３０】
そして、底面部に設けた多数の透孔も、その孔の内径の大きさ、数、設ける部位も自由に設計することができ、少なくとも底面部の中央部分に設けられていれば、その全面に設けられていなくともその効果を発揮する。
また、透孔も、単なる孔部でなく、底面部全体を格子状に或いは網目形状に成形することも可能である。
以上、本考案は簡易な構成にして、指で絞ることができ且つすだち等の種の多い柑橘類であっても、その種子を良好に分離してその果汁を絞ることの出来る果汁絞り具を提供することができたものである。
【符号の説明】
【００３１】
１０  本体部
１１  底面部
１２  周側面部
１５  透孔
１７  指当接部
１８  境界部
２０  果汁飛散防止部材
【図１】
0003157122.tif 000003
【図２】
0003157122.tif 000004